(57)【要約】      （修正有）【課題】地震が発生するなどして想定以上の揺れが生じても野縁受けと天井野縁との係止固定を確実に維持することができるようにした野縁受けと天井野縁の係止構造の補強金具を提供する。【解決手段】天井野縁の底壁下面の幅に対応する横幅を有するベース板部と、ベース板部の両側部に延設されかつ野縁受けの上壁及び下壁の幅に対応する横幅を有する一対又は複数対の側板基部と、側板基部の縦方向に相対向して連設された一対の折曲可能な側板押え部と、側板押え部の先端部に設けられた折曲係止可能な係止端部を含む。ベース板部を天井野縁の底壁下面に位置させ、側板押え部を折曲して野縁受けの垂直壁外面に位置させ、係止端部を折曲して野縁受けの上壁に係止させる。【選択図】図１
0003171385.tif 000002
【実用新案登録請求の範囲】
【請求項１】
垂直壁の上下両端部に側方に開口するチャンネル状溝部を形成するように上壁及び下壁を設けてなる野縁受けと、底壁の両側端部に上方に開口するチャンネル状溝部を形成するように一対の側壁を設けかつ該側壁の上端部は互いに内方に折曲されて側壁係止部となっている天井野縁と、基板部の下端両端部にフック部を有しかつ該基板部の上端部に折曲可能な上端係止部を設けてなるクリップ部材とを含み、前記野縁受けの下壁を前記天井野縁の側壁の上端部に位置せしめ前記クリップ部材の下端両端部のフック部を前記天井野縁の側壁係止部に係止せしめかつ該クリップ部材の上端係止部を折曲して前記野縁受けの上壁に係止せしめるようにした野縁受けと天井野縁の係止構造における補強金具であって、前記天井野縁の底壁下面の幅に対応する横幅を有するベース板部と、該ベース板部の両側部に延設されかつ前記野縁受けの上壁及び下壁の幅に対応する横幅を有する一対又は複数対の側板基部と、該側板基部の縦方向に相対向して連設された一対の折曲可能な側板押え部と、該側板押え部の先端部に設けられた折曲係止可能な係止端部を含み、前記ベース板部を前記天井野縁の底壁下面に位置せしめるとともに前記側板押え部を折曲して前記野縁受けの垂直壁外面に位置せしめかつ前記係止端部を折曲して前記野縁受けの上壁に係止させることにより、野縁受けと天井野縁の係止構造を補強することができるようにしたことを特徴とする野縁受けと天井野縁の係止構造の補強金具。
【考案の詳細な説明】
【技術分野】
【０００１】
本考案は野縁受けと天井野縁の係止構造の補強金具に関する。
【背景技術】
【０００２】
従来、天井下地部材の取付け構造１０は、図１４に示すように、建物天井の下地に用いられる天井野縁１２を野縁受け１４にクリップ部材１６を用いて係止する構造である。該野縁１２にビス等によって天井板１８を取り付ける（特許文献１）。２０はハンガで、上記野縁受け１４を吊り下げる作用を行う。
【０００３】
前記天井野縁１２は、図１４に示したようにチャンネル状長尺部材で、底壁２２の両側端部に上方に開口するチャンネル状溝部２４を形成するように一対の側壁２６，２６を設けかつ該側壁２６，２６の上端部は互いに内方に折曲されて側壁係止部２８，２８となっている。前記野縁受け１４は、天井野縁１２と同様にチャンネル状長尺部材で、垂直壁３０の上下両端部に側方に開口するチャンネル状溝部３２を形成するように上壁３４及び下壁３５が設けられている。
【０００４】
前記クリップ部材１６は、図１５に示したように、基板部３６の下端両端部にフック部３８，３８を有しかつ該基板部３６の上端部に折曲可能な上端係止部４０（図示例では３個）を設けてなる構造を有する。
【０００５】
前記野縁受け１４と天井野縁１２は交差した状態となるように取り付けられる（図１４）が、その作業は次のように行われる。該天井野縁１２の側壁係止部２８，２８に前記クリップ部材１６のフック部３８，３８を係止させ、かつ該クリップ部材１６の基板部３６を野縁受け１４の垂直壁３０に当てた状態で、野縁受け１４の上壁３４に配置される該クリップ部材１６の上端係止部４０を該上壁３４に係止するように下方に折り曲げて野縁受け１４に係止固定させる。このようにして該野縁受け１４と天井野縁１２はクリップ部材１６によって交差係合状態で固定される。
【０００６】
上記した従来の野縁受けと天井野縁の係止構造は、該野縁受け１４と天井野縁１２をクリップ部材１６の上端係止部４０を該上壁３４に係止するように下方に折り曲げて野縁受け１４に係止固定させる構造であるため、該クリップ部材１６の上端係止部４０に想定を超える力がかかる場合、例えば、地震の発生時や台風の襲来時等の場合には、その揺れによって上記上端係止部４０の折れ曲げた係止部分が緩んでしまい、クリップ部材１６が野縁受け１４から外れて野縁受けと天井野縁との係止固定が維持できないというような事故が発生してしまう可能性があるという不都合があった。
【０００７】
上記のような不都合を解消するために、例えば図１６に示すように、ビス４２によって天井野縁１２と野縁受け１４を接続固定することも行われるが、ビス止め作業を余分行う必要があり、その分だけ作業が煩雑になるという不利があった。また、特許文献２に示すように、クリップ保持具によってクリップ部材をさらに固定支持する提案もなされているが、このクリップ保持具の装着によってクリップ部材が野縁受けから外れるという事故の発生は解消されるにしても、このクリップ保持具の取り付け作業を行うことが必須であり、やはりその分だけ作業が煩雑になることは避けられなかった。
【先行技術文献】
【特許文献】
【０００８】
【特許文献１】特開平１１−１９００９２号公報
【特許文献２】特開２００７−１１３２０６号公報
【考案の概要】
【考案が解決しようとする課題】
【０００９】
本考案は、上記問題点に鑑みてなされたもので、地震の発生や台風が襲来するなどして想定以上の揺れが生じても野縁受けと天井野縁との係止固定を確実に維持することができるようにした野縁受けと天井野縁の係止構造の補強金具を提供することを目的としている。
【課題を解決するための手段】
【００１０】
上記した課題を解決するため、本考案に係る野縁受けと天井野縁の係止構造の補強金具は、垂直壁の上下両端部に側方に開口するチャンネル状溝部を形成するように上壁及び下壁を設けてなる野縁受けと、底壁の両側端部に上方に開口するチャンネル状溝部を形成するように一対の側壁を設けかつ該側壁の上端部は互いに内方に折曲されて側壁係止部となっている天井野縁と、基板部の下端両端部にフック部を有しかつ該基板部の上端部に折曲可能な上端係止部を設けてなるクリップ部材とを含み、前記野縁受けの下壁を前記天井野縁の側壁の上端部に位置せしめ前記クリップ部材の下端両端部のフック部を前記天井野縁の側壁係止部に係止せしめかつ該クリップ部材の上端係止部を折曲して前記野縁受けの上壁に係止せしめるようにした野縁受けと天井野縁の係止構造における補強金具であって、前記天井野縁の底壁下面の幅に対応する横幅を有するベース板部と、該ベース板部の両側部に延設されかつ前記野縁受けの上壁及び下壁の幅に対応する横幅を有する一対又は複数対の側板基部と、該側板基部の縦方向に相対向して連設された一対の折曲可能な側板押え部と、該側板押え部の先端部に設けられた折曲係止可能な係止端部を含み、前記ベース板部を前記天井野縁の底壁下面に位置せしめるとともに前記側板押え部を折曲して前記野縁受けの垂直壁外面に位置せしめかつ前記係止端部を折曲して前記野縁受けの上壁に係止させることにより、野縁受けと天井野縁の係止構造を補強することができるようにしたことを特徴とする。
【考案の効果】
【００１１】
以上述べたように、本考案に係る野縁受けと天井野縁の係止構造の補強金具によれば、天井野縁の底壁下面の幅に対応する横幅を有するベース板部と、該ベース板部の両側部に延設されかつ前記野縁受けの上壁及び下壁の幅に対応する横幅を有する一対又は複数対の側板基部と、該側板基部の縦方向に相対向して連設された一対の折曲可能な側板押え部と、該側板押え部の先端部に設けられた折曲係止可能な係止端部を含み、前記ベース板部を前記天井野縁の底壁下面に位置せしめるとともに前記側板押え部を折曲して前記野縁受けの垂直壁外面に位置せしめかつ前記係止端部を折曲して前記野縁受けの上壁に係止させることにより、野縁受けと天井野縁の係止構造を強固に補強することができ、地震等による揺れが発生しても野縁受けと天井野縁との係止固定を確実に維持することができるという大きな効果を奏するものである。
【図面の簡単な説明】
【００１２】
【図１】本考案に係る野縁受けと天井野縁の係止構造の補強金具の一つの実施の形態を示す平面図である。
【図２】図１に示した補強金具において側板押え部を上方に折曲した状態を示す図面である。
【図３】図１の補強金具を野縁受けと天井野縁の係止構造に取り付ける途中過程を示す斜視説明図である。
【図４】図１の補強金具を野縁受けと天井野縁の係止構造に取り付けた状態を示す斜視説明図である。
【図５】図４の反対面側を示す斜視説明図である。
【図６】図４の裏面側を示す斜視説明図である。
【図７】本考案の補強金具の他の実施の形態を示す平面図である。
【図８】図７に示した補強金具において第２側板押え部のみを上方に折曲した状態を示す図面である。
【図９】図７に示した補強金具において第１及び第２側板押え部の両方を上方に折曲した状態を示す図面である。
【図１０】図７の補強金具を第２側板押え部のみを用いて野縁受けと天井野縁の係止構造に取り付けた状態を示す斜視説明図である。
【図１１】図１０の裏面側を示す斜視説明図である。
【図１２】図７の補強金具を第１及び第２側板押え部の両方を用いて野縁受けと天井野縁の係止構造に取り付けた状態を示す斜視説明図である。
【図１３】図１２の裏面側を示す斜視説明図である。
【図１４】従来の野縁受けと天井野縁の係止構造の一例を示す斜視説明図である。
【図１５】クリップ部材の摘示拡大斜視説明図である。
【図１６】従来の野縁受けと天井野縁の係止構造においてビスによる補強構造の一例を示す斜視説明図である。
【考案を実施するための形態】
【００１３】
以下に本考案に係る野縁受けと天井野縁の係止構造の補強金具の一つの実施の形態を添付図面中、図１〜図６に基づいて説明する。図１は本考案に係る野縁受けと天井野縁の係止構造の補強金具の一つの実施の形態を示す平面図である。図２は図１に示した補強金具において側板押え部を上方に折曲した状態を示す図面である。図３は本考案の補強金具を野縁受けと天井野縁の係止構造に取り付ける途中過程を示す斜視説明図である。図４は本考案の補強金具を野縁受けと天井野縁の係止構造に取り付けた状態を示す斜視説明図である。図５は図４の反対面側を示す斜視説明図である。図６は図４の裏面側を示す斜視説明図である。
【００１４】
本考案の補強金具は従来の野縁受けと天井野縁の係止構造に対しての補強金具として用いられるが、従来の野縁受けと天井野縁の係止構造については、従来技術を示した図１４の説明と同様であるが、図３〜図６の図示例によって簡単に説明する。なお、図３〜図６において、図１４〜図１６に示した部材と同様の部材は同一の符号で示す。
【００１５】
図中、符号１１は野縁受け１４と天井野縁１２の係止構造で、従来と同様に、建物天井の下地に用いられる天井野縁１２を野縁受け１４にクリップ部材１６を用いて係止する構造である。該野縁１２にビス等によって天井板（図３〜図６には図示しないが、図１４には符号１８として図示）を取り付ける。該野縁受け１４はハンガ（図３〜図６には図示しないが、図１４には符号２０として図示）等によって吊り下げられる。
【００１６】
前記天井野縁１２は、チャンネル状長尺部材で、底壁２２の両側端部に上方に開口するチャンネル状溝部２４を形成するように一対の側壁２６，２６を設けかつ該側壁２６，２６の上端部は互いに内方に折曲されて側壁係止部２８，２８となっている。前記野縁受け１４は、天井野縁１２と同様にチャンネル状長尺部材で、垂直壁３０の上下両端部に側方に開口するチャンネル状溝部３２を形成するように上壁３４及び下壁３５が設けられている。天井野縁１２及び野縁受け１４の材料としては、鋼材或いは軽量金属等が用いられる。
【００１７】
前記クリップ部材１６は、図１５に示した構造と同様であり再度の詳細な図示は省略するが、基板部３６の下端両端部にフック部３８，３８を有しかつ該基板部３６の上端部に折曲可能な上端係止部４０（図示例では３個）を設けてなる構造を有する。
【００１８】
前記野縁受け１４と天井野縁１２は交差した状態となるように取り付けられるが、その作業は既に従来技術の説明で述べたところであるが、再述する。該天井野縁１２の側壁係止部２８，２８に前記クリップ部材１６のフック部３８，３８を係止させ、かつ該クリップ部材１６の基板部３６を野縁受け１４の垂直壁３０に当てた状態で、野縁受け１４の上壁３４に配置される該クリップ部材１６の上端係止部４０を該上壁３４に係止するように下方に折り曲げて野縁受け１４に係止固定させる。このようにして該野縁受け１４と天井野縁１２はクリップ部材１６によって交差係合状態で固定される。
【００１９】
続いて、本考案の補強金具について説明する。図１〜図６において、符号５０は本考案の補強金具である。該補強金具５０は、前記天井野縁１２の底壁２２の下面の幅に対応する横幅を有するベース板部５２を有している。５４，５４は一対の側板基部で、該ベース板部５２の両側部に延設されている。該側板基部５４，５４は前記野縁受け１４の上壁３４及び下壁３５の幅に対応する横幅を有している。５６，５７は一対の折曲可能な側板押え部で、該側板基部５４の縦方向に相対向して連設されている。該側板押え部５６、５７の先端部には折曲係止可能な係止端部５８、５９が設けられている。
【００２０】
上記構成により、該補強金具５０を野縁受けと天井野縁の係止構造に対して取り付けて本考案の補強金具付の野縁受けと天井野縁の係止構造１１とするための手順について説明する。まず、図６に示されるように、前記ベース板部５２を前記天井野縁１２の底壁２２の下面に位置せしめる。一方の側板押え部５６を折曲して前記野縁受け１４の垂直壁３０の外面に位置せしめるとともに他方の側板押え部５７を折曲して前記野縁受け１４の垂直壁３０の内面側に位置せしめる。次いで、一方の係止端部５８を折曲して前記野縁受け１４の上壁３４に係止させるとともに他方の係止端部５９を折曲して該野縁受け１４の上壁３４を越えて該係止状態の係止端部５８の上側から垂直壁３０の上端部まで位置せしめる。このように、該補強金具５０を従来の野縁受けと天井野縁の係止構造に取り付けることにより本考案の補強金具付の野縁受けと天井野縁の係止構造１１とすることができる。このように本考案の補強金具５０によって補強された野縁受けと天井野縁の係止構造は、補強金具によって強固に補強されており、地震の発生や台風の襲来等による揺れが発生しても野縁受けと天井野縁との係止構造の係止固定を確実に維持することができる。
【００２１】
なお、本考案の補強金具５０の販売態様としては、図１に示した状態で販売することもできるし、図２に示した状態（事前に側板押え部５６、５７を折曲しておく状態）で販売することもできる。図２の状態で販売する場合には、前記ベース板部５２を前記天井野縁１２の底壁２２の下面に位置せしめた状態で、一方の側板押え部５６は前記野縁受け１４の垂直壁３０の外面に位置しておりかつ他方の側板押え部５７も前記野縁受け１４の垂直壁３０の内面側に位置している。次いで、一方の係止端部５８を折曲して前記野縁受け１４の上壁３４に係止させるとともに他方の係止端部５９を折曲して該野縁受け１４の上壁３４を越えて該係止状態の係止端部５８の上側から垂直壁３０の上端部まで位置せしめる。このように、該補強金具５０を従来の野縁受けと天井野縁の係止構造に取り付けることにより本考案の補強金具付の野縁受けと天井野縁の係止構造１１とすることができる。この場合、現場における側板押え部５６、５７の折曲作業が解消されるので、それだけ現場における補強金具５０の取り付け作業が軽減される利点がある。
【００２２】
本考案の補強金具は図１〜図６に示した構成以外の構成を採用することが可能であり、以下に他の実施の形態について図７〜図１３によって説明する。図７は本考案の補強金具の他の実施の形態を示す平面図である。図８は図７に示した補強金具において第２側板押え部のみを上方に折曲した状態を示す図面である。図９は図７に示した補強金具において第１及び第２側板押え部の両方を上方に折曲した状態を示す図面である。図１０は図７の補強金具を第２側板押え部のみを用いて野縁受けと天井野縁の係止構造に取り付けた状態を示す斜視説明図である。図１１は図１０の裏面側を示す斜視説明図である。図１２は図７の補強金具を第１及び第２側板押え部の両方を用いて野縁受けと天井野縁の係止構造に取り付けた状態を示す斜視説明図である。図１３は図１２の裏面側を示す斜視説明図である。
【００２３】
図７〜図１３において、符号５０Ａは本考案の補強金具である。該補強金具５０Ａは、前記天井野縁１２の底壁２２の下面の幅に対応する横幅を有するベース板部５２を有している。５４ａ，５４ａは一対の第１側板基部で、該ベース板部５２の両側部に延設されている。５４ｂ，５４ｂは一対の第２側板基部で、該一対の第１側板基部５４ａ、５４ａの外側部にさらに延設されている。該第１及び第２側板基部５４ａ，５４ｂは前記野縁受け１４の上壁３４及び下壁３５の幅に対応する横幅を有している。５６ａ，５７ａは一対の折曲可能な第１側板押え部で、該第１側板基部５４ａの縦方向に相対向して連設されている。５６ｂ，５７ｂは一対の折曲可能な第２側板押え部で、該第２側板基部５４ｂの縦方向に相対向して連設されている。該第１及び第２側板押え部５６ａ，５７ａ、５６ｂ、５７ｂの先端部には折曲係止可能な係止端部５８ａ，５９ａ，５８ｂ，５９ｂが設けられている。
【００２４】
上記構成により、該補強金具５０Ａを野縁受けと天井野縁の係止構造に対して取り付けて本考案の補強金具付の野縁受けと天井野縁の係止構造１１とするための手順について説明する。補強金具５０Ａを取り付ける第１の態様としては、図８に示したように、第２側板基部５４ｂ、５４ｂ及び第２側板押え部５６ｂ，５７ｂのみを係止手段として使用し第１側板基部５４ａ、５４ａ及び第１側板押え部５６ａ、５７ａはベース板部５２と同様に前記天井野縁１２の底壁２２の下面に位置せしめる。一方の第２側板押え部５６ｂを折曲して前記野縁受け１４の垂直壁３０の外面に位置せしめるとともに他方の第２側板押え部５６ｂを前記野縁受け１４の垂直壁３０の内面側に位置せしめる。次いで、一方の係止端部５８ｂを折曲して前記野縁受け１４の上壁３４に係止させるとともに他方の係止端部５９ｂを折曲して該野縁受け１４の上壁３４を越えて該係止状態の係止端部５８ｂの上側から垂直壁３０の上端部まで位置せしめる。このように、該補強金具５０Ａを従来の野縁受けと天井野縁の係止構造に取り付けることにより本考案の補強金具付の野縁受けと天井野縁の係止構造１１とすることができる。このように本考案の補強金具５０Ａによって補強された野縁受けと天井野縁の係止構造は、補強金具によって強固に補強されており、地震の発生や台風の襲来等による揺れが発生しても野縁受けと天井野縁との係止構造の係止固定を確実に維持することができる。
【００２５】
本考案の補強金具５０Ａを取り付ける第２の態様としては、図９に示したように、第１側板基部５４ａ、５４ａ及び第２側板基部５４ｂ、５４ｂ並びに第１側板押え部５６ａ，５７ａ及び第２側板押え部５６ｂ、５７ｂの両方を係止手段として使用しベース板部５２を前記天井野縁１２の底壁２２の下面に位置せしめる。一方の第１側板押え部５６ａ、５６ｂを折曲して前記野縁受け１４の垂直壁３０の外面に位置せしめるとともに他方の第１側板押え部５７ａ、５７ｂを前記野縁受け１４の垂直壁３０の内面側に位置せしめる。次いで、一方の係止端部５８ａ、５８ｂを折曲して前記野縁受け１４の上壁３４に係止させるとともに他方の係止端部５９ａ、５９ｂを折曲して該野縁受け１４の上壁３４を越えて該係止状態の係止端部５８ａ、５９ｂの上側から垂直壁３０の上端部まで位置せしめる。この場合、第１側板押え部５６ａ，５７ａ及び第２側板押え部５６ｂ、５７ｂの両方を使用するのでそれだけ補強強度が向上するという利点がある。
【００２６】
なお、本考案の補強金具５０Ａの販売態様としては、図７に示した状態で販売することもできるし、図８に示した状態（事前に第２側板押え部５６ｂ、５７ｂを折曲しておく状態）又は図９に示した状態（事前に第１側板押え部５６ａ，５７ａ及び第２側板押え部５６ｂ、５７ｂを折曲しておく状態）で販売することもできる。
【００２７】
図８の状態で販売する場合には、第２側板基部５４ｂ、５４ｂ及び第２側板押え部５６ｂ，５７ｂのみを係止手段として使用し第１側板基部５４ａ、５４ａ及び第１側板押え部５６ａ、５７ａはベース板部５２と同様に前記天井野縁１２の底壁２２の下面に位置せしめる。この状態で、一方の第２側板押え部５６ｂは前記野縁受け１４の垂直壁３０の外面に位置しておりかつ他方の第２側板押え部５６ｂは前記野縁受け１４の垂直壁３０の内面側に位置している。次いで、一方の係止端部５８ｂを折曲して前記野縁受け１４の上壁３４に係止させるとともに他方の係止端部５９ｂを折曲して該野縁受け１４の上壁３４を越えて該係止状態の係止端部５８ｂの上側から垂直壁３０の上端部まで位置せしめる。このように、該補強金具５０Ａを従来の野縁受けと天井野縁の係止構造に取り付けることにより本考案の補強金具付の野縁受けと天井野縁の係止構造１１とすることができる。この場合、現場における第２側板押え部５６ｂ、５７ｂの折曲作業が解消されるので、それだけ現場における補強金具５０Ａの取り付け作業が軽減される利点がある。
【００２８】
また、補強対象となる天井野縁１２の底壁２２の下面の幅に応じて、図８の状態でも図９の状態で販売することができる。図８の状態で販売した場合に、現場にて天井野縁１２の底壁２２の下面の幅がベース板部５２の幅と合致する場合には、現場において図８の状態からさらに第１側板押え部５６ａ、５７ａを上方に折曲して図９の状態として使用することができる。また、予め天井野縁１２の底壁２２の下面の幅がベース板部５２の幅と合致することが判明している場合には図９の状態で販売することも可能である。
【００２９】
上記した実施の形態では、側板押え部を１対設けた場合と２対設けた場合について説明したが、必要に応じて３対以上設ける構成を採用することも可能である。また、ベース板部５２の形状としては好ましい形状として長四角形状の図示例としたが、この形状に限定されるものでないことは勿論であり、必要に応じてその他の形状とすることができることはいうまでもない。
【００３０】
本考案の野縁受けと天井野縁の係止構造の補強金具に赤色等の着色をしておくと、上記係止構造への補強金具の取り付けが終了した際に、補強金具の取り付け状態の最終チェックの実施において一目で取り付け洩れの箇所があるか否かが判定できる利点がある。
【００３１】
さらに、本考案の野縁受けと天井野縁の係止構造の補強金具を装着した場合には野縁受けと天井野縁の係止構造は極めて強固に補強されるので、電気工事の際などに屋根裏の係止構造に乗る必要が生じた場合でも安心して乗って作業を行えるというさらなる有利さがある。
【符号の説明】
【００３２】
１０：従来の天井下地部材の取付け構造、１１：本考案の補強金具付きの野縁受けと天井野縁の係止構造、１２：天井野縁、１４：野縁受け、１６：クリップ部材、１８：天井板、２０：ハンガ、２２：底壁、２４：チャンネル状溝部、２６：側壁、２８：側壁係止部、３０：垂直壁、３２：チャンネル状溝部、３４：上壁、３５：下壁、３６：基板部、３８：フック部、４０：上端係止部、４２：ビス、５０、５０Ａ：補強金具、５２：ベース板部、５４、５４ａ，５４ｂ：側板基部、５６，５７：側板押え部、５６ａ，５７ａ：第１側板押え部、５６ｂ、５７ｂ：第２側板押え部、５８、５９、５８ａ，５９ａ，５８ｂ，５９ｂ：係止端部。
【図１】
0003171385.tif 000003
【図２】
0003171385.tif 000004
【図３】
0003171385.tif 000005
【図４】
0003171385.tif 000006
【図５】
0003171385.tif 000007
【図６】
0003171385.tif 000008
【図７】
0003171385.tif 000009
【図８】
0003171385.tif 000010
【図９】
0003171385.tif 000011
【図１０】
0003171385.tif 000012
【図１１】
0003171385.tif 000013
【図１２】
0003171385.tif 000014
【図１３】
0003171385.tif 000015
【図１４】
0003171385.tif 000016
【図１５】
0003171385.tif 000017
【図１６】
0003171385.tif 000018